(57)【要約】【課題】レバーの取り換え時にレバーとムービングプレートの位置関係における制約を無くし、レバーの組み付け作業性を向上させることができるレバー式コネクタを提供する。【解決手段】フード部２１ａを有する雄ハウジング２１と、雄ハウジング２１に回動自在に支持されたレバー３０と、フード部２１ａ内にて雄端子５５のタブ部５５ａを位置決めするムービングプレート４０と、フード部２１ａ内に嵌脱される雌ハウジング７１を備え、レバー３０を往動操作させることで、雌ハウジング７１をムービングプレート４０と共にフード部２１ａ内の奥側に移動させて雄ハウジング２１に嵌合させるレバー式コネクタ１０において、雌ハウジング７１の未嵌合時にムービングプレート４０に形成したボス４４に当接し、レバー３０の往動操作でボス４４の当接が解除されて、雌ハウジング７１によりムービングプレート４０の押し込みが可能となるリブ３６をレバー３０に設けた。【選択図】図１
2018049724.tif 000002
【特許請求の範囲】
【請求項１】
フード部を有する雄ハウジングと、前記雄ハウジングに支軸を介して回動自在に支持されたレバーと、前記フード部内にて雄端子のタブ部を位置決めするムービングプレートと、前記フード部内に嵌合・離脱される雌ハウジングを備え、前記レバーに形成したカム溝に前記雌ハウジングに形成したカムフォロアを係合させた状態で前記レバーを往動操作させることで、前記雌ハウジングを前記ムービングプレートと共に前記フード部内の奥側に移動させて前記雄ハウジングに嵌合させるようにしたレバー式コネクタにおいて、
前記雌ハウジングの未嵌合時に前記ムービングプレートに形成したボスに当接し、かつ、前記レバーの往動操作により前記ボスの当接が解除されて、前記雌ハウジングにより前記ムービングプレートの押し込みが可能となるリブを前記レバーに設けたことを特徴とするレバー式コネクタ。
【請求項２】
請求項１記載のレバー式コネクタであって、
前記雌ハウジングの離脱時に前記リブが前記ボスに当接して、前記レバーの復動操作により前記ムービングプレートを元の位置に戻すことを特徴とするレバー式コネクタ。
【請求項３】
請求項１又は２記載のレバー式コネクタであって、
前記リブを前記ボスの一部を囲むように曲がった形状に形成したことを特徴とするレバー式コネクタ。
【請求項４】
請求項１〜３のいずれか１項に記載のレバー式コネクタであって、
前記雄ハウジングと前記レバーのいずれか一方に係止突起と解除突起を突設した弾性係止片を形成すると共に、他方に前記係止突起を係止する係止孔を形成し、前記解除突起を押すことで前記係止突起と前記係止孔との係止状態を解除自在にしたことを特徴とするレバー式コネクタ。
【発明の詳細な説明】
【技術分野】
【０００１】
本発明は、レバーの往復動操作により雄雌両ハウジングが低挿入力で嵌合・離脱されるレバー式コネクタに関する。
【背景技術】
【０００２】
この種のレバー式コネクタとして、特許文献１に開示されたものがある。
【０００３】
このレバー式コネクタ１は、図２２に示すように、フード部３を有する雄ハウジング２と、この雄ハウジング２に支軸４を介して回動自在に支持されたレバー５と、フード部３内にて図示しない雄端子のタブ部を位置決めするムービングプレート７と、フード部３内に嵌合・離脱される雌ハウジング８と、を備えている。
【０００４】
そして、レバー５にはカム溝６が形成され、雌ハウジング８には第１カムピン９ａが形成され、ムービングプレート７には第２カムピン９ｂが形成されている。これら第１、第２カムピン９ａ，９ｂが互いに合体した状態でレバー５が雄ハウジング２に対して変位することにより、前記合体状態にある第１、第２カムピン９ａ，９ｂがレバー５のカム溝６の溝面を摺動して、両ハウジング２，８の嵌合・離脱が行われる。この両ハウジング２，８の嵌合過程では、第１カムピン９ａのみがカム溝６の往路側カム面６ａを摺動して、ムービングプレート７と雌ハウジング８がフード部３内の奥側に移動する。また、両ハウジング２，８の離脱過程では、第２カムピン９ｂのみがカム溝６の復路側カム面６ｂを摺動して、ムービングプレート７と雌ハウジング８がフード部３の開口側に移動する。
【先行技術文献】
【特許文献】
【０００５】
【特許文献１】特開２０１１−１４２０５０号公報
【発明の概要】
【発明が解決しようとする課題】
【０００６】
しかしながら、前記従来のレバー式コネクタ１では、レバー５のカム溝６にムービングプレート７の第２カムピン９ｂを組み付けて係合させることで、ムービングプレート７の移動を可能としているため、レバー５の破損等によりレバー５を取り換える必要が生じた場合、レバー５のカム溝６にムービングプレート７の第２カムピン９ｂを挿入させる作業が発生し、特に、フード部３内のムービングプレート７の位置によっては、ムービングプレート７の第２カムピン９ｂがレバー５のカム溝６に嵌らないため、レバー５の組み付け性が悪かった。また、レバー５を無理やり組み付けた場合には、レバー５によってムービングプレート７の第２カムピン９ｂを破損させる虞れがある。
【０００７】
そこで、本発明は、前記した課題を解決すべくなされたものであり、レバーの取り換え時にレバーとムービングプレートの位置関係における制約を無くして、レバーの組み付け作業性を向上させることができるレバー式コネクタを提供することを目的とする。
【課題を解決するための手段】
【０００８】
請求項１の発明は、フード部を有する雄ハウジングと、前記雄ハウジングに支軸を介して回動自在に支持されたレバーと、前記フード部内にて雄端子のタブ部を位置決めするムービングプレートと、前記フード部内に嵌合・離脱される雌ハウジングを備え、前記レバーに形成したカム溝に前記雌ハウジングに形成したカムフォロアを係合させた状態で前記レバーを往動操作させることで、前記雌ハウジングを前記ムービングプレートと共に前記フード部内の奥側に移動させて前記雄ハウジングに嵌合させるようにしたレバー式コネクタにおいて、前記雌ハウジングの未嵌合時に前記ムービングプレートに形成したボスに当接し、かつ、前記レバーの往動操作により前記ボスの当接が解除されて、前記雌ハウジングにより前記ムービングプレートの押し込みが可能となるリブを前記レバーに設けたことを特徴とする。
【０００９】
請求項２の発明は、請求項１記載のレバー式コネクタであって、前記雌ハウジングの離脱時に前記リブが前記ボスに当接して、前記レバーの復動操作により前記ムービングプレートを元の位置に戻すことを特徴とする。
【００１０】
請求項３の発明は、請求項１又は２記載のレバー式コネクタであって、前記リブを前記ボスの一部を囲むように曲がった形状に形成したことを特徴とする。
【００１１】
請求項４の発明は、請求項１〜３のいずれか１項に記載のレバー式コネクタであって、前記雄ハウジングと前記レバーのいずれか一方に係止突起と解除突起を突設した弾性係止片を形成すると共に、他方に前記係止突起を係止する係止孔を形成し、前記解除突起を押すことで前記係止突起と前記係止孔との係止状態を解除自在にしたことを特徴とする。
【発明の効果】
【００１２】
以上説明したように、請求項１の発明によれば、雌ハウジングの未嵌合時にムービングプレートに形成したボスに当接し、かつ、レバーの往動操作によりボスの当接が解除されて、雌ハウジングによりムービングプレートの押し込みが可能となるリブをレバーに設けたことにより、リブでレバーの仮係止時のムービングプレートの押し込みを防止することができる。また、レバーの取り換え時にレバーとムービングプレートの位置関係における制約が無くなり、レバーの組み付け作業を簡単かつ短時間で行うことができる。
【００１３】
請求項２の発明によれば、雌ハウジングの離脱時にリブがボスに当接して、レバーの復動操作によりムービングプレートを元の位置に戻すことにより、コネクタ離脱時にレバーのリブが引き込むようにしてムービングプレートのボスを引き上げることでムービングプレートを元の位置に簡単かつ確実に戻すことができる。
【００１４】
請求項３の発明によれば、リブをボスの一部を囲むように曲がった形状に形成したことにより、ムービングプレートを引き上げて元の位置に戻す際にボスが外れるのを簡単かつ確実に防止することができる。
【００１５】
請求項４の発明によれば、雄ハウジングとレバーのいずれか一方に係止突起と解除突起を突設した弾性係止片を形成すると共に、他方に係止突起を係止する係止孔を形成し、解除突起を押すことで係止突起と係止孔との係止状態を解除自在にしたことにより、雄ハウジングとレバーの係止を解除させる際に、解除突起を押すことで係止突起と係止孔との係止状態が解除されるため、雄ハウジングとレバーの係止解除作業が容易にできる。
【図面の簡単な説明】
【００１６】
【図１】本発明の第１実施形態のレバー式コネクタの分解斜視図である。
【図２】上記レバー式コネクタの雄コネクタの組み付け前の斜視図である。
【図３】上記雄コネクタの組み付け前の断面図である。
【図４】（ａ）は上記雄コネクタの組み付け時の要部断面図、（ｂ）は雄端子に変形がある場合の雄コネクタの組み付け時の要部断面図である。
【図５】（ａ）は上記雄コネクタのレバーを組み付ける前の斜視図、（ｂ）は同雄コネクタに雌コネクタをセットした状態を示す斜視図である。
【図６】上記雄コネクタのレバーを組み付ける前の側面図である。
【図７】上記レバーの組み付け時の側面図である。
【図８】上記レバーの復動操作によるムービングプレートの引き上げ開始時の側面図である。
【図９】上記ムービングプレートの引き上げ完了時（レバー仮係止時）の側面図である。
【図１０】上記雄コネクタに雌コネクタをセットした未嵌合の状態を示す側面図である。
【図１１】上記レバーの往動操作開始時の側面図である。
【図１２】上記レバーの往動操作中の側面図である。
【図１３】上記レバーの往動操作完了時（嵌合完了時）の側面図である。
【図１４】上記雌コネクタを離脱する際のレバーの復動操作開始前の側面図である。
【図１５】上記レバーの復動操作によるムービングプレートの引き上げ開始時の側面図である。
【図１６】上記ムービングプレートの引き上げ中の側面図である。
【図１７】上記ムービングプレートの引き上げ完了時（離脱完了状態）の側面図である。
【図１８】本発明の第２実施形態のレバー式コネクタの雄コネクタの斜視図である。
【図１９】上記第２実施形態の雄コネクタに取り付けられるレバーの斜視図である。
【図２０】上記第２実施形態のレバー式コネクタの斜視図である。
【図２１】（ａ）は上記第２実施形態の雄コネクタとレバーの係止時の要部断面図、（ｂ）は同雄コネクタとレバーの係止解除時の要部断面図である。
【図２２】従来例のレバー式コネクタの嵌合途中の状態を一部破断で示す側面図である。
【発明を実施するための形態】
【００１７】
以下、本発明の実施形態を図面に基づいて説明する。
【００１８】
図１は本発明の第１実施形態のレバー式コネクタの分解斜視図、図２は同レバー式コネクタの雄コネクタの組み付け前の斜視図、図３は同雄コネクタの組み付け前の断面図、図４（ａ）は同雄コネクタの組み付け時の要部断面図、図４（ｂ）は雄端子に変形がある場合の雄コネクタの組み付け時の要部断面図、図５（ａ）は同雄コネクタのレバーを組み付ける前の斜視図、図５（ｂ）は同雄コネクタに雌コネクタをセットした状態を示す斜視図、図６は同雄コネクタのレバーを組み付ける前の側面図、図７〜図９はレバーの組み付け過程を順に示す側面図、図１０〜図１３は雄コネクタと雌コネクタの嵌合過程を順に示す側面図、図１４〜図１７は雄コネクタと雌コネクタの離脱過程を順に示す側面図である。
【００１９】
図１に示すように、レバー式コネクタ１０は、互いに嵌合・離脱可能な雄雌一対のコネクタ２０，７０からなり、例えば自動車のフロントドア用コネクタとして使用されるものである。雄コネクタ２０は、フード部２１ａを有する雄ハウジング２１と、この雄ハウジング２１に支軸２１Ａを介して回動自在に支持されたレバー３０と、フード部２１ａ内にて雄端子５５のタブ部５５ａを位置決めするムービングプレート４０と、雄ハウジング２１に形成されたサブハウジング収容室２２に収容される雄サブハウジング（雄サブコネクタ）５０と、雄ハウジング２１に形成された図示しないサブハウジング挿通孔に収容される雄同軸サブハウジング（雄同軸サブコネクタ）６０と、を備えている。また、雌コネクタ７０は、レバー３０に形成したカム溝３４に係合されるカムフォロア７５が一体突出形成され、雄ハウジング２１のフード部２１ａ内に嵌合・離脱される雌ハウジング７１と、この雌ハウジング７１に形成されたサブハウジング収容室７２に収容される雌サブハウジング（雌サブコネクタ）８０と、雌ハウジング７１に形成されたサブハウジング挿通孔７３に収容される雌同軸サブハウジング（雌同軸サブコネクタ）９０と、を備えている。そして、図１１に示すように、レバー３０のカム溝３４に雌ハウジング７１のカムフォロア７５を係合させた状態でレバー３０を往動操作（図中矢印Ｘで示す）させることにより、雌ハウジング７１がムービングプレート４０と共にフード部２１ａ内の奥側に移動して雄ハウジング２１に嵌合されるようになっている。
【００２０】
図３、図４に示すように、雄ハウジング２１は、合成樹脂製であって、そのフード部２１ａとサブハウジング収容室２２を仕切る隔壁２３には、雄端子５５のタブ部５５ａを挿通させるタブ変形検知機構（アライニング構造）としてのタブ挿通孔２４を複数形成してある。各タブ挿通孔２４は、ムービングプレート４０に形成した雄端子５５のタブ部５５ａを挿通させる位置決め孔４３と同一位置で同一孔径に形成されており、図４（ａ），（ｂ）に示すように、各タブ挿通孔２４により、雄サブハウジング５０のキャビティ５１に収容保持された雄端子５５のタブ部５５ａの変形が検知されるようになっている。即ち、図４（ａ）に示すように、雄端子５５のタブ部５５ａに変形がない場合は、雄端子５５のタブ部５５ａがタブ挿通孔２４に貫通できるため、雄ハウジング２１のサブハウジング収容室２２への雄サブハウジング５０の嵌合が可能となり、また、図４（ｂ）に示すように、雄端子５５にタブ部５５ａの変形がなる場合は、雄端子５５のタブ部５５ａがタブ挿通孔２４に貫通できないため、雄ハウジング２１のサブハウジング収容室２２への雄サブハウジング５０の嵌合が不可能となっていて、雄サブハウジング５０のキャビティ５１に収容保持された雄端子５５のタブ部５５ａの変形が検知されるようになっている。
【００２１】
また、図１、図２、図５、図６に示すように、雄ハウジング２１のフード部２１ａの両側壁の中央には、レバー３０の仮係止用の切欠き状の溝部２５をそれぞれ形成してある。この一対の溝部２５，２５は、ムービングプレート４０のボス４４及び雌ハウジング７１の一方のガイド突起７６の移動時のガイドレールとして機能する。さらに、フード部２１ａの両側壁の各溝部２５を挟む位置には、レバー３０の弾性係止片３５の係止突起３５ａと雌ハウジング７１の他方のガイド突起７７が入り込む凹状と切欠き状の受け溝２６ａ，２６ｂをそれぞれ形成してある。尚、図９に示すレバー３０の仮係止時には、レバー３０の弾性係止片３５の係止突起３５ａがフード部２１ａの溝部２５の溝面に係止されるようになっている。
【００２２】
また、雄ハウジング２１の後端の外周には、環板状のフランジ部（鍔部）２７を一体突出形成してある。この環状のフランジ部２７には、図示しないゴム製のグロメットの前側の環状シール部の凹溝が嵌め込まれるようになっている。さらに、雄ハウジング２１の後端の外周には上下各一対の係止突起２８，２８を一体突出形成してある。そして、雄ハウジング２１が図示しない自動車のパネルの取付孔にドア側から貫通すると、パネルの取付孔の周囲のボディ側の面に雄ハウジング２１の各一対の係止突起２８，２８の先端が係止されることで、レバー式コネクタ１０がパネルの取付孔にグロメットの前側の環状シール部を介してシールされた状態で取り付けられるようになっている。
【００２３】
さらに、図５（ａ），（ｂ）及び図６に示すように、雄ハウジング２１のフランジ部２７の上側中央には、係止突起２９ａを突設した弾性係止片２９を一体突出形成してある。この係止突起２９ａは、レバー３０の突出片３７に形成された係止孔３８に係止・離脱自在になっている。
【００２４】
図１、図２及び図５，図６に示すように、レバー３０は、一対のアーム部３１，３１と、この一対のアーム部３１，３１を連結する操作部３２とを合成樹脂により一体に形成してある。各アーム部３１には、雄ハウジング２１のフード部２１ａの両側部に一体突出形成した各支軸２１Ａを回動自在に支持する軸受け孔３３を形成してある。さらに、各アーム部３１には、雌ハウジング７１に形成されたカムフォロア７５に係合されるカム溝３４を形成してある。そして、図１１〜図１３に示すように、レバー３０の操作部３２の往動操作（図中矢印Ｘで示す）によってカム溝３４とカムフォロア７５を介して雄、雌ハウジング２１，７１が低挿入力で嵌合され、また、図１５〜図１７に示すように、レバー３０の操作部３２の復動操作（図中矢印Ｙで示す）によってカム溝３４とカムフォロア７５を介して雄、雌ハウジング２１，７１が低挿入力で離脱されるようになっている。
【００２５】
また、各アーム部３１には、係止突起３５ａを突設した弾性係止片３５を切り欠き形成してある。この弾性係止片３５の係止突起３５ａが雄ハウジング２１のフード部２１ａの側壁に形成された切欠き状の溝部２５と凹状の受け溝２６ａの溝面に弾性的に係止することにより、レバー３０が図９及び図１７に示す仮係止位置と図１３及び図１４に示す回動規制位置にそれぞれ保持されるようになっている。
【００２６】
さらに、図１、図５、図６に示すように、レバー３０の各アーム部３１の内面には、雌ハウジング７１の未嵌合時（図９に示すレバー３０の仮係止時及び図１０に示す雌ハウジング７１の仮セット時）にムービングプレート４０に形成したボス４４に当接し、かつ、レバー３０の往動操作（図中矢印Ｘで示す）によりボス４４の当接が解除されて、雌ハウジング７１によりムービングプレート４０の押し込みが可能となるリブ３６を一体突出形成してある。このリブ３６は、ボス４４の一部（上側と後側）を囲むように曲がったＬ字形状に形成してある。そして、雌ハウジング７１の離脱時にリブ３６がボス４４に当接して、図９及び図１７に示すように、レバー３０の復動操作（図中矢印Ｙで示す）によりムービングプレート４０を引き上げ完了の元の位置に戻すようになっている。
【００２７】
さらに、図５及び図６に示すように、レバー３０の操作部３２の中央には、突出片３７を一体突出形成してある。この突出片３７には、雄ハウジング２１の弾性係止片２９の係止突起２９ａを係止させる係止孔３８を形成してある。
【００２８】
図１０〜図１３に示すように、ムービングプレート４０は、雄ハウジング２１のフード部２１ａの開口側に位置する初期位置と、フード部２１ａの奥側に位置する嵌合位置との間を前後方向に移動可能とされている。また、図１及び図６に示すように、ムービングプレート４０は、合成樹脂製であって、矩形平板状のプレート本体４１とプレート本体４１の両側端より前方へ突出した両側壁部４２，４２とでコ字状に一体形成されている。プレート本体４１には、複数の位置決め孔４３を整列させて形成してある。図４（ａ）に示すように、ムービングプレート４０が初期位置にあるときには、位置決め孔４３内に雄端子５５のタブ部５５ａの先端部が位置決め状態で挿入され、タブ部５５ａの軸心がぶれるのを防止するようになっている。そして、ムービングプレート４０が嵌合位置へ向けて移動するに従い、タブ部５５ａの位置決め孔４３から前方への突出量が次第に増加するようになっている。また、側壁部４２の上前側には、レバー３０のリブ３６に当接・離反するボス４４を一体突出形成してある。さらに、側壁部４２の中央の後側には、フード部２１ａの側壁の内面に弾性的に係止されてムービングプレート４０を仮係止するロック部４５を一体突出形成してある。
【００２９】
図１〜図４に示すように、雄サブハウジング（雄サブコネクタ）５０は、合成樹脂により略角ブロック状に形成されており、雄ハウジング２１のサブハウジング収容室２２内に後方から挿入されて収容される。雄サブハウジング５０の内部には、電線５６の端末に接続された雄端子５５を収容可能な複数のキャビティ５１が前後方向に貫通して形成されている。キャビティ５１の内壁には、雄端子５５を抜け止めする図示しない可撓性のランスを形成してある。また、雄サブハウジング５０には、各キャビティ５１と連通するスペーサ装着孔５３が上面に開口して形成されている。このスペーサ装着孔５３内には上方からスペーサ５４が挿入され、スペーサ装着孔５３内に正規深さで挿入されたスペーサ５４と図示しないランスとで雄端子５５を二重係止するようになっている。
【００３０】
図１に示すように、雄同軸サブハウジング（雄同軸サブコネクタ）６０は、合成樹脂により前後方向に長い略ブロック状に形成してあり、雄ハウジング２１の図示しないサブハウジング挿通孔内に後方から挿入されて収容される。雄同軸サブハウジング６０の中央には図示しない同軸端子を収容するキャビティ６１を形成してある。このキャビティ６１の内壁には同軸端子に係止される可撓性のランス６２を一体突出形成してある。
【００３１】
図１に示すように、雌ハウジング７１は、合成樹脂により矩形箱形に形成してあり、その略中央には、雌サブハウジング８０を収容するサブハウジング収容室７２と雌同軸サブハウジング９０を収容するサブハウジング挿通孔７３をそれぞれ前後方向に貫通するように形成してある。また、雌ハウジング７１のサブハウジング収容室７２とサブハウジング挿通孔７３の周りには、図示しない電源回路用端子や信号回路用端子を収容する大小の端子収容室７４ａ，７４ｂを前後方向に貫通するように形成してある。さらに、雌ハウジング７１の両側面の略中央には、レバー３０のカム溝３４に係合されるピン状のカムフォロア７５を一体突出形成してある。さらに、雌ハウジング７１の両側面のカムフォロア７５を挟む位置には、雄ハウジング２１のフード部２１ａの切欠き状の溝部２５と切欠き状の受け溝２６ｂにそれぞれ入り込む各一対のガイド突起７６，７７を一体突出形成してある。
【００３２】
図１に示すように、雌サブハウジング（雌サブコネクタ）８０は、合成樹脂により略角ブロック状に形成されており、雌ハウジング７１のサブハウジング収容室７２内に後方から挿入されて収容される。雌サブハウジング８０の内部には、電線８６の端末に接続された雌端子８５を収容可能な複数のキャビティ８１が前後方向に貫通して形成されている。各キャビティ８１の内壁には、雌端子８５を抜け止めする図示しない可撓性のランスを形成してある。また、雌サブハウジング８０には、各キャビティ８１と連通する図示しないスペーサ装着孔が上面に開口して形成されている。このスペーサ装着孔内には上方からスペーサ８４が挿入され、スペーサ装着孔内に正規深さで挿入されたスペーサ８４と図示しないランスとで雌端子８５を二重係止するようになっている。
【００３３】
図１に示すように、雌同軸サブハウジング（雌同軸サブコネクタ）９０は、合成樹脂により前後方向に長い略ブロック状に形成してあり、雌ハウジング７１のサブハウジング挿通孔７３内に後方から挿入されて収容される。雌同軸サブハウジング９０の中央には図ない同軸端子を収容するキャビティ９１を形成してある。このキャビティ９１の内壁には同軸端子に係止される可撓性のランス９２を一体突出形成してある。
【００３４】
以上実施形態のレバー式コネクタ１０によれば、図６、図７に示すように、雄ハウジング２１にレバー３０とムービングプレート４０を組み付ける。この際、レバー３０のリブ３６とムービングプレート４０のボス４４は離れている。
【００３５】
そして、図８に示すように、レバー３０を復動操作Ｙすると、ムービングプレート４０のボス４４にレバー３０のリブ３６が当接・押圧して、図９に示すように、ムービングプレート４０を引き上げて初期位置（元の位置）に戻す。この際、レバー３０の弾性係止片３５の係止突起３５ａが雄ハウジング２１のフード部２１ａの側壁の切欠き状の溝部２５の溝面に弾性的に係止することにより、レバー３０が仮係止状態となる。このレバー３０の仮係止時に、レバー３０のリブ３６がムービングプレート４０のボス４４に当接していることで、ムービングプレート４０の押し込みを防止している。即ち、レバー３０のリブ３６が雄ハウジング２１のフード部２１ａ内の奥側へのムービングプレート４０の移動を防いでいる。
【００３６】
図１０に示すように、雄ハウジング２１のフード部２１ａ内に雌ハウジング７１をセット（雌ハウジング７１の未嵌合状態）し、図１１に示すように、レバー３０を往動操作Ｘさせると、図１２に示すように、レバー３０のリブ３６の移動（リブ３６がボス４４から離れ）により、ムービングプレート４０の移動が可能となる。そして、図１３に示すように、雌ハウジング７１がムービングプレート４０と共にフード部２１ａ内の奥側に移動して雄ハウジング２１に嵌合される。
【００３７】
このように、雌ハウジング７１の未嵌合時にムービングプレート４０のボス４４に当接し、かつ、レバー３０の往動操作Ｘによりボス４４の当接が解除されて、雌ハウジング７１によりムービングプレート４０の押し込みが可能となるリブ３６をレバー３０のアーム部３１に突設したことにより、リブ３６でレバー３０の仮係止時のムービングプレート４０の押し込みを防止することができると共に、レバー３０の往動操作Ｘにより、雌ハウジング７１をムービングプレート４０と共に雄ハウジング２１のフード部２１ａ内の奥側に移動させて雄、雌ハウジング２１，７１を低挿入力で嵌合することができる。
【００３８】
また、図１４〜図１７に示すように、コネクタ離脱時には、レバー３０のリブ３６がＬ字形となっているため、このＬ字形のリブ３６がムービングプレート４０のボス４４を引き込み、レバー３０の復動操作Ｙと共にムービングプレート４０を引き上げて元の位置に戻す。
【００３９】
このように、ムービングプレート４０のボス４４を、レバー３０のカム溝３４ではなく、レバー３０のリブ３６に当接・離反させて、ムービングプレート４０の移動を規制したり、移動させるようにしたことにより、レバー３０やムービングプレート４０の取り換え時に、レバー３０とムービングプレート４０の位置関係における制約が無くなり、レバー３０やムービングプレート４０の組み付け作業を簡単かつ短時間で行うことができる。これにより、レバー３０やムービングプレート４０の付け替え時に、レバー３０やムービングプレート４０の破損等の発生を確実に防止することができる。
【００４０】
また、雌ハウジング７１の離脱時にレバー３０のリブ３６がムービングプレート４０のボス４４に当接して、レバー３０の復動操作Ｙによりムービングプレート４０を元の位置に戻すことにより、コネクタ離脱時にレバー３０のリブ３６が引き込むようにしてムービングプレート４０のボス４４を引き上げることで、ムービングプレート４０を元の位置に簡単かつ確実に戻すことができる。
【００４１】
さらに、レバー３０のリブ３６をムービングプレート４０のボス４４の一部を囲むように曲がったＬ字形状に形成したことにより、ムービングプレート４０を引き上げて元の位置に戻す際にリブ３６からボス４４が外れるのを簡単かつ確実に防止することができる。
【００４２】
また、図４（ａ），（ｂ）に示すように、雄ハウジング２１に雄端子５５を収容保持した雄サブハウジング５０を収容するサブハウジング収容室２２を形成し、雄ハウジング２１のフード部２１ａとサブハウジング収容室２２を仕切る隔壁２３にタブ変形検知機構としての雄端子５５のタブ部５５ａを挿通させるタブ挿通孔２４を形成したことにより、タブ部５５ａが変形した雄端子５５を収容保持する雄サブハウジング５０を雄ハウジング２１のサブハウジング収容室２２へ嵌合する前に、雄端子５５のタブ部５５ａの変形を簡単かつ確実に検知することができ、雄、雌ハウジング２１，７１の嵌合不良品を無くすことができる。これにより、レバー式コネクタ１０付きのタブ部５５ａを有する雄端子５５を接続した複数の電線５６からなるワイヤハーネスを製造する工程でのタブ変形不良品の発生の不具合を可及的に無くすことができる。
【００４３】
また、隔壁２３のタブ挿通孔２４をムービングプレート４０に形成した位置決め孔４３と同一位置で同一孔径に形成したことにより、タブ変形検知機構を簡単かつ低コストで作ることができる。
【００４４】
図１８は本発明の第２実施形態のレバー式コネクタの雄コネクタの斜視図、図１９は同雄コネクタに取り付けられるレバーの斜視図、図２０はレバー式コネクタの斜視図、図２１（ａ）は同雄コネクタとレバーの係止時の要部断面図、図２１（ｂ）は同雄コネクタとレバーの係止解除時の要部断面図である。
【００４５】
図１８〜図２１に示すように、第２実施形態のレバー式コネクタ１０′は、雄コネクタ２０の雄ハウジング２１のフランジ部２７の上側中央に係止突起２９ａと解除突起２９ｂを突設した弾性係止片２９を一体突出形成してある。この弾性係止片２９の係止突起２９ａは、レバー３０の突出片３７に形成された係止孔３８に係止・離脱自在になっている。即ち、弾性係止片２９の解除突起２９ｂを下方に押すことにより、係止突起２９ａと係止孔３８との係止状態を解除自在にしてある。尚、他の構成は、前記第１実施形態と同一であるため、同一構成部分には同一符号を付して詳細な説明を省略する。
【００４６】
この第２実施形態のレバー式コネクタ１０′では、雄ハウジング２１に係止突起２９ａと解除突起２９ｂを一体突出形成した弾性係止片２９を一体形成すると共に、レバー３０の突出片３７に係止突起２９ａを係止する係止孔３８を形成し、弾性係止片２９の解除突起２９ｂを押すことで係止突起２９ａと係止孔３８との係止状態を解除自在にしたことにより、雄ハウジング２１とレバー３０の係止を解除する際に、弾性係止片２９の解除突起２９ｂを押すことで係止突起２９ａと係止孔３８との係止状態が解除されるため、雄ハウジング２１とレバー３０の係止解除作業が容易にできる。これにより、レバー３０やムービングプレート４０の取り換え時に、レバー３０やムービングプレート４０の組み付け作業を更に簡単かつ短時間で行うことができる。
【００４７】
尚、前記各実施形態によれば、レバーのリブをムービングプレートのボスの一部を囲むようにＬ字状に曲がった形状に形成したが、リブの形状はＬ字形に限らず、湾曲状に曲がった形状に形成しても良い。また、前記第２実施形態によれば、雄ハウジングに係止突起と解除突起を突設した弾性係止片を形成すると共に、レバーに係止突起を係止する係止孔を形成したが、レバーに係止突起と解除突起を突設した弾性係止片を形成すると共に、雄ハウジングに係止突起を係止する係止孔を形成しても良い。
【符号の説明】
【００４８】
１０，１０′  レバー式コネクタ
２１  雄ハウジング
２１ａ  フード部
２１Ａ  支軸
２９  弾性係止片
２９ａ  係止突起
２９ｂ  解除突起
３０  レバー
３４  カム溝
３６  リブ
３８  係止孔
４０  ムービングプレート
４４  ボス
５５  雄端子
５５ａ  タブ部
７１  雌ハウジング
７５  カムフォロア
Ｘ  往動操作
Ｙ  復動操作
【図１】
2018049724.tif 000003
【図２】
2018049724.tif 000004
【図３】
2018049724.tif 000005
【図４】
2018049724.tif 000006
【図５】
2018049724.tif 000007
【図６】
2018049724.tif 000008
【図７】
2018049724.tif 000009
【図８】
2018049724.tif 000010
【図９】
2018049724.tif 000011
【図１０】
2018049724.tif 000012
【図１１】
2018049724.tif 000013
【図１２】
2018049724.tif 000014
【図１３】
2018049724.tif 000015
【図１４】
2018049724.tif 000016
【図１５】
2018049724.tif 000017
【図１６】
2018049724.tif 000018
【図１７】
2018049724.tif 000019
【図１８】
2018049724.tif 000020
【図１９】
2018049724.tif 000021
【図２０】
2018049724.tif 000022
【図２１】
2018049724.tif 000023
【図２２】
2018049724.tif 000024